(57)【要約】  本発明はファイルの属性情報を管理する方法及びコンピューティング装置に関する。本発明によってファイルの属性情報を管理する方法は（ａ）第１コンピューティング装置が、属性情報として第１出所情報が含まれているファイルを第２コンピューティング装置または前記第２コンピューティング装置を介して接続した第３コンピューティング装置から送信される段階；及び（ｂ）前記第１コンピューティング装置が、ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させる段階を含む。【選択図】図２a
2019519034.tif 000002
【特許請求の範囲】
【請求項１】
ファイルの属性情報を管理する方法において、
（ａ）第１コンピューティング装置が、属性情報として第１出所情報が含まれているファイルを第２コンピューティング装置または前記第２コンピューティング装置を介して接続した第３コンピューティング装置から送信される段階；及び
（ｂ）前記第１コンピューティング装置が、ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させる段階；
を含む方法。
【請求項２】
前記（ｂ）段階は、
前記ファイルシステムが、既存に存在する前記第１出所情報と新たに獲得した前記第２出所情報を区別するための属性識別子を付与して順次に保存することを特徴とする請求項１に記載の方法。
【請求項３】
前記ファイルに対する出所情報には作成者情報、ファイル獲得経路情報のうち少なくとも一つの情報が含まれることを特徴とする請求項１に記載の方法。
【請求項４】
前記ファイルに対する出所情報が作成者情報の場合、
前記（ｂ）段階は、
前記第１コンピューティング装置が、前記ファイルシステムをもって、前記第１コンピューティング装置に係る情報から第２出所情報を獲得するようにして、前記ファイルの前記属性情報として前記第１出所情報に前記第２出所情報を追加して保存させることを特徴とする請求項３に記載の方法。
【請求項５】
前記ファイルに対する出所情報がファイル獲得経路情報の場合、
前記（ｂ）段階は、
前記第１コンピューティング装置が、前記ファイルシステムをもって、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させることを特徴とする請求項３に記載の方法。
【請求項６】
前記第１コンピューティング装置は、前記ファイルシステムをもって、所定の条件が充たされる場合に前記作成者情報または前記ファイル獲得経路情報を獲得させることを特徴とする請求項３に記載の方法。
【請求項７】
前記所定の条件は、
前記作成者情報または前記ファイル獲得経路情報を獲得する回数を制限する条件であることを特徴とする請求項６に記載の方法。
【請求項８】
前記所定の条件は、前記作成者情報または前記ファイル獲得経路情報に対応されるレベルに応じて調整されることを特徴とする請求項７に記載の方法。
【請求項９】
前記ファイルを保存する要求が所定のメールプログラムから発生される場合、前記ファイルシステムは、情報照会モジュールからパケットに含まれた電子メール差出人情報を獲得して前記ファイル獲得経路情報として保存することを特徴とする請求項３に記載の方法。
【請求項１０】
前記情報照会モジュールはｓｎｉｆｆｅｒ、ワイヤシャーク、ｔｃｐｄｕｍｐ、ｓｎｏｏｐのうち少なくとも一つのネットワーク分析プログラムを含むことを特徴とする請求項９に記載の方法。
【請求項１１】
前記第１コンピューティング装置は、前記ファイルシステムをもって、前記属性情報として既設定された規則に従って決定されるバージョン情報をさらに獲得して保存させることを特徴とする請求項１に記載の方法。
【請求項１２】
前記既設定された規則は、
前記ファイルに対する原本のファイルが存在しない場合、基本バージョンを前記ファイルの前記バージョン情報に決定し、
前記ファイルに対する原本のファイルが存在する場合、（ｉ）前記ファイルのデータ情報が修正されたものと判断されると、前記原本のファイルのバージョン情報を増加させて前記バージョン情報に決定し、（ｉｉ）前記ファイルが保存される経路または前記ファイルのファイル名が修正されたものと判断されると、前記原本のファイルのバージョン情報を前記バージョン情報に決定する規則であることを特徴とする請求項１１に記載の方法。
【請求項１３】
前記第１コンピューティング装置は、前記ファイルシステムをもって、前記ファイルが保存される時期の天気を示す状況情報または前記ファイルが保存される時の日時情報を前記属性情報としてさらに獲得して保存させることを特徴とする請求項１に記載の方法。
【請求項１４】
前記第１コンピューティング装置が、属性情報として第１状況情報または第１日時情報が含まれているファイルを前記第２コンピューティング装置または前記第２コンピューティング装置を介して接続した前記第３コンピューティング装置から送信されると、前記ファイルシステムをもって、前記ファイルの前記属性情報として前記第１状況情報または前記第１日時情報に前記ファイルが保存される当時の第２状況情報または第２日時情報を追加して保存させることを特徴とする請求項１３に記載の方法。
【請求項１５】
前記第１コンピューティング装置は、前記ファイルの属性情報のうち少なくとも一つの情報を前記ファイルのファイル名に含ませることを特徴とする請求項１に記載の方法。
【請求項１６】
前記ファイルシステムがＮＴＦＳ（Ｎｅｗ  Ｔｅｃｈｎｏｌｏｇｙ  Ｆｉｌｅ  Ｓｙｓｔｅｍ）の場合、前記ファイルシステムの基本属性であるＡＴＴＲＩＢＵＴＥ  ＬＩＳＴに前記出所情報の開始アドレス及び属性名前を記録することで、前記ファイルシステムによって前記出所情報が保存されることが可能なことを特徴とする請求項１に記載の方法。
【請求項１７】
前記ファイルに対する出所情報にはＩＰ情報、物理的場所情報及びフォルダ履歴情報のうち少なくとも一つの情報が含まれることを特徴とする請求項１に記載の方法。
【請求項１８】
ファイルの属性情報を管理するコンピューティング装置において、
属性情報として第１出所情報が含まれているファイルを第２コンピューティング装置または前記第２コンピューティング装置を介して接続した第３コンピューティング装置から送信される通信部；及び
ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させるプロセッサ；
を含むコンピューティング装置。
【請求項１９】
前記ファイルシステムが、既存に存在する前記第１出所情報と新たに獲得した前記第２出所情報を区別するための属性識別子を付与して順次に保存することを特徴とする請求項１８に記載のコンピューティング装置。
【請求項２０】
前記ファイルに対する出所情報には作成者情報、ファイル獲得経路情報のうち少なくとも一つの情報が含まれることを特徴とする請求項１８に記載のコンピューティング装置。
【請求項２１】
前記ファイルに対する出所情報が作成者情報の場合、
前記第１コンピューティング装置が、前記ファイルシステムをもって、前記第１コンピューティング装置に係る情報から第２出所情報を獲得するようにして、前記ファイルの前記属性情報として前記第１出所情報に前記第２出所情報を追加して保存させることを特徴とする請求項２０に記載のコンピューティング装置。
【請求項２２】
前記ファイルに対する出所情報がファイル獲得経路情報の場合、
前記第１コンピューティング装置が、前記ファイルシステムをもって、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させることを特徴とする請求項２０に記載のコンピューティング装置。
【請求項２３】
前記プロセッサは、前記ファイルシステムをもって、所定の条件が充たされる場合に前記作成者情報または前記ファイル獲得経路情報を獲得させることを特徴とする請求項２２に記載のコンピューティング装置。
【請求項２４】
前記所定の条件は、
前記作成者情報または前記ファイル獲得経路情報を獲得する回数を制限する条件であることを特徴とする請求項２３に記載のコンピューティング装置。
【請求項２５】
前記所定の条件は、前記作成者情報または前記ファイル獲得経路情報に対応されるレベルに応じて調整されることを特徴とする請求項２４に記載のコンピューティング装置。
【請求項２６】
前記ファイルを保存する要求が所定のメールプログラムから発生される場合、前記ファイルシステムは、情報照会モジュールからパケットに含まれた電子メール差出人情報を獲得して前記ファイル獲得経路情報として保存することを特徴とする請求項２０に記載のコンピューティング装置。
【請求項２７】
前記情報照会モジュールはｓｎｉｆｆｅｒ、ｗｉｒｅｓｈａｒｋ、ｔｃｐｄｕｍｐ、ｓｎｏｏｐのうち少なくとも一つのネットワーク分析プログラムを含むことを特徴とする請求項２６に記載のコンピューティング装置。
【請求項２８】
前記プロセッサは、前記ファイルシステムをもって、前記属性情報として既設定された規則に従って決定されるバージョン情報をさらに獲得して保存させることを特徴とする請求項１８に記載のコンピューティング装置。
【請求項２９】
前記既設定された規則は、
前記ファイルに対する原本のファイルが存在しない場合、基本バージョンを前記ファイルの前記バージョン情報に決定し、
前記ファイルに対する原本のファイルが存在する場合、（ｉ）前記ファイルのデータ情報が修正されたものと判断されると、前記原本のファイルのバージョン情報を増加させて前記バージョン情報に決定し、（ｉｉ）前記ファイルが保存される経路または前記ファイルのファイル名が修正されたものと判断されると、前記原本のファイルのバージョン情報を前記バージョン情報に決定する規則であることを特徴とする請求項２８に記載のコンピューティング装置。
【請求項３０】
前記プロセッサは、前記ファイルシステムをもって、前記ファイルが保存される時期の天気を示す状況情報または前記ファイルが保存される時の日時情報を前記属性情報としてさらに獲得して保存させることを特徴とする請求項１８に記載のコンピューティング装置。
【請求項３１】
属性情報として第１状況情報または第１日時情報が含まれているファイルを前記第２コンピューティング装置または前記第２コンピューティング装置を介して接続した前記第３コンピューティング装置から送信されると、前記プロセッサが、前記ファイルシステムをもって、前記ファイルの前記属性情報として前記第１状況情報または前記第１日時情報に前記ファイルが保存される当時の第２状況情報または第２日時情報を追加して保存させることを特徴とする請求項３０に記載のコンピューティング装置。
【請求項３２】
前記プロセッサは、前記ファイルの属性情報のうち少なくとも一つの情報を前記ファイルのファイル名に含ませることを特徴とする請求項１８に記載のコンピューティング装置。
【請求項３３】
前記ファイルシステムがＮＴＦＳ（Ｎｅｗ  Ｔｅｃｈｎｏｌｏｇｙ  Ｆｉｌｅ  Ｓｙｓｔｅｍ）の場合、前記ファイルシステムの基本属性であるＡＴＴＲＩＢＵＴＥ  ＬＩＳＴに前記出所情報の開始アドレス及び属性名前を記録することで、前記ファイルシステムによって前記出所情報が保存されることが可能なことを特徴とする請求項１８に記載のコンピューティング装置。
【請求項３４】
前記ファイルに対する出所情報にはＩＰ情報、物理的場所情報及びフォルダ履歴情報のうち少なくとも一つの情報が含まれることを特徴とする請求項１８に記載のコンピューティング装置。
【発明の詳細な説明】
【技術分野】
【０００１】
本発明はファイルの属性情報を管理する方法及びコンピューティング装置に関する。
【背景技術】
【０００２】
今日、コンピュータの発展と普遍化によってコンピュータで管理するファイルがますます増加している。特に、過去に紙で処理していた報告書、計画書、契約書のような文書を今ではコンピュータを通じて電子文書形態で管理し、紙で処理していた時よりも細分化されたバージョンに分けて実際の業務に使用する。これによって、管理される電子文書の総量は持続的に増加しており、最近では多様なモバイルデバイスを通じて電子文書を管理することができるようになり、電子文書の数がさらに増加している趨勢である。
【０００３】
しかし、このような大量のファイルからユーザが探そうとするファイルを見つけることが困難であるという問題点があるが、通常このような問題点はユーザがファイルを保存した位置やファイル名を正確に記憶することができないために発生する。ユーザは探そうとするファイルを見つけるためにエクスプローラや、ファインダーなどのファイル探索プログラムを利用することがあるが、これもファイル名またはファイルを保存したフォルダを記憶することができなければ見つけるのに困難が発生せざるを得ない。なぜなら、ファイル探索プログラムは大量のファイルの中から探そうとするファイルを効率的に見つけるためにユーザが入力したキーワードと属性情報を比較してファイルを探索するが、現在、ファイルの属性情報はファイルに対する若干の情報のみを含んでいるため、ユーザが入力し得るキーワードが限定されるからである。即ち、現在電子文書に対する属性情報として保存される情報はファイル生成時間、ファイル修正時間、ファイル名、ファイルサイズ、ファイル作成者、ファイル形式程度なので、これに係るキーワードを通じてのみファイルを見つけることができるようになる。
【発明の概要】
【発明が解決しようとする課題】
【０００４】
このような理由から、本発明はユーザが多数のファイルから探そうとするファイルを迅速且つ容易に見つけさせることを一目的とする。
【０００５】
また、本発明はファイルの出所とファイルの流通過程を容易に把握させることを他の目的とする。
【課題を解決するための手段】
【０００６】
本発明の一態様によれば、ファイルの属性情報を管理する方法は（ａ）第１コンピューティング装置が、属性情報として第１出所情報が含まれているファイルを第２コンピューティング装置または前記第２コンピューティング装置を介して接続した第３コンピューティング装置から送信される段階；及び（ｂ）前記第１コンピューティング装置が、ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させる段階を含む。
【０００７】
本発明の他の態様によれば、ファイルの属性情報を管理するコンピューティング装置は、属性情報として第１出所情報が含まれているファイルを第２コンピューティング装置または前記第２コンピューティング装置を介して接続した第３コンピューティング装置から送信される通信部；及びファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させるプロセッサを含む。
【発明の効果】
【０００８】
本発明によれば、ファイルに対してユーザが記憶し得る要素を属性情報として定義することで、ファイルと記憶の関連付けを介してユーザが多数のファイルから探そうとするファイルを迅速且つ容易に見つけるように支援することができる。
【０００９】
また、本発明によれば、ファイルが製作される過程を累積して属性情報に記録することで、ファイルの出所を容易に把握し得るように支援することができ、これは保管するファイルの価値を判断し得る基準になる。
【図面の簡単な説明】
【００１０】
【図１】図１は、本発明の一実施例に係るファイルの属性情報を記録するための概略的な構成を示す図面である。
【図２ａ】図２ａは、本発明の一実施例によるファイルシステムの動作を例示的に説明するための図面である。
【図２ｂ】図２ｂは、本発明の一実施例によるファイルシステムの動作を例示的に説明するための図面である。
【図３】図３は、本発明の一実施例に係る追加で獲得される属性情報を例示的に説明するための図面である。
【発明を実施するための形態】
【００１１】
後述する本発明に対する詳細な説明は、本発明が実施され得る特定の実施例を例示として示す添付の図面を参照する。これらの実施例は当業者が本発明を実施することができるように充分詳細に説明される。本発明の多様な実施例は相互異なるが、相互排他的である必要はないことを理解しなければならない。例えば、ここに記載されている特定の形状、構造及び特性は一実施例に係る本発明の精神及び範囲を逸脱せずに他の実施例で具現され得る。また、それぞれの開示された実施例内の個別構成要素の位置または配置は本発明の精神及び範囲を逸脱せずに変更され得ることを理解されなければならない。従って、後述する詳細な説明は限定的な意味で捉えようとするものではなく、本発明の範囲は、適切に説明されると、その請求項が主張することと均等な全ての範囲と、併せて添付された請求項によってのみ限定される。図面で類似する参照符号は様々な側面にかけて同一か類似する機能を指称する。
【００１２】
図１は、本発明の一実施例に係るファイルの属性情報を記録するための概略的な構成を示す図面である。図１に示したように、本発明の一実施例に係るファイルの属性情報を管理するコンピューティング装置はユーザプロセス１００、ファイルシステム２００、保存装置３００が含まれ、ユーザプロセス１００、ファイルシステム２００、保存装置３００はコンピューティング装置のプロセッサ及び通信部によって駆動され得る。
【００１３】
まず、ユーザプロセス１００は特定の業務処理を目的として作成された応用プログラム、サブプログラムなどであり、システムコールを介して運営体制にファイル保存を要求し得る。ユーザプロセス１００は特に文書作成プログラム、電子メールプログラム、ブラウザプログラムなどである。
【００１４】
ファイルシステム２００はファイルに名前をつけ、保存や検索のためにファイルを保存装置３００のどこに位置させるかを示す体系であって、ファイルに対する出所情報などを獲得して属性情報として保存し得る。ファイルシステム２００はＦＡＴ、ＮＴＦＳ、ＵＦＳ、ｅｘｔ２などの既存のファイルシステム２００に適用されることがあり、新たに生成されるファイルシステム２００であり得る。
【００１５】
ここで、出所情報とは、ファイルが誰によって作成されたか、どこで獲得したかを示す情報として、作成者情報、ファイル獲得経路情報のうち少なくとも一つの情報が含まれ得る。また出所情報には、いかなるＩＰアドレスを有するコンピューティング装置でファイルが作成または獲得されたか、ファイルがどの物理的場所で生成されたか、ファイルが既存にどのフォルダに保存されていたかをそれぞれ示す情報としてＩＰ情報、物理的場所情報及びフォルダ履歴情報がさらに含まれ得る。
【００１６】
保存装置３００は資料を一時的または永久に保存し得る装置であって、補助記憶装置、主記憶装置、特殊記憶装置のうちいずれか一つであり得る。保存装置３００がコンピューティング装置に物理的に含まれていなければならないものではなく、コンピューティング装置と連動する外部に位置することもある。
【００１７】
本発明に係るファイルシステム２００に関しては、下記の詳細な説明を通じて詳細に考察することにする。
【００１８】
図２ａ及び２ｂは、本発明の一実施例に係るファイルシステム２００の動作を例示的に説明するための図面である。
【００１９】
図２ａを参照して説明すれば、ユーザプロセス１００からファイルを保存するための要求が発生されると、前記要求は仮想ファイルシステム（ＶＦＳ、Ｖｉｒｔｕａｌ  Ｆｉｌｅ  Ｓｙｓｔｅｍ）または実際のファイルシステムに伝達されることがあり、仮想ファイルシステムに伝達する場合にはファイルのデータ情報とプロセスＩＤ、ファイル経路、ファイル名のようなファイルの基本的な属性情報が共に仮想ファイルシステムに伝達される。その後、仮想ファイルシステムはファイル経路の有効性を検証してから、装置管理者にファイル経路のファイルシステム２００を確認して適切なファイルシステム２００に保存要求を伝達し、ファイルシステム２００は仮想ファイルシステムから伝達された情報を参照してファイルのデータ情報及び属性情報を保存装置３００に記録する。一方、図２ｂを参照して説明すれば、仮想ファイルシステムが存在しない場合、ファイルのデータ情報とプロセスＩＤ、ファイル経路、ファイル名のようなファイルの基本的な属性情報が直接的にファイルシステムに伝達されてファイルのデータ情報及び属性情報を保存装置３００に記録する。
【００２０】
ファイルシステム２００はファイルの基本的な属性情報以外に属性情報として出所情報を獲得して保存し得る。
【００２１】
下記の表１は、ＮＴＦＳ（Ｎｅｗ  Ｔｅｃｈｎｏｌｏｇｙ  Ｆｉｌｅ  Ｓｙｓｔｅｍ）で管理するファイルの基本属性情報を示す表である。
【００２２】
【表１】
2019519034.tif 000003
【００２３】
表１を参照してＮＴＦＳで基本属性以外に出所情報を属性情報として追加で保存することを説明すると、まず、ＮＴＦＳで基本的に定義されている１７種類の属性のうち必須でファイルの属性情報として記録されるものはファイル生成者、ファイル名、ファイルの生成時間、ファイルの修正時間、ファイルのデータ（ファイル内容）などだが、本発明ではこれ以外に出所情報を属性情報として追加する。具体的に、ＮＴＦＳの基本属性であるＡＴＴＲＩＢＵＴＥ  ＬＩＳＴに出所情報の開始アドレス及び属性名を記録して出所情報を追加することもあり、出所情報以外に属性情報をさらに追加することもある。
【００２４】
基本属性情報以外にさらに追加され得る属性情報は、出所情報（作成者情報、ファイル獲得経路情報、ＩＰ情報、物理的場所情報、フォルダ履歴情報のうち少なくとも一つの情報を含むことがある）、バージョン情報、状況情報（天気情報を含むことがある）、日時情報が挙げられ、これに関しては下記で詳細に説明することとする。
【００２５】
まず、ファイルに対する出所情報を属性情報として保存することを説明すれば、ファイルシステム２００は、ファイルに対する保存要求情報を獲得すると、属性情報としてファイルに対する出所情報を獲得して保存し、万一当該ファイルが他のコンピューティング装置または他のコンピューティング装置を介して接続した第３コンピューティング装置から送信されたもので、既に当該ファイルに出所情報が属性情報として含まれている場合なら、それぞれの出所情報を全て属性情報として含んで管理し得る。
【００２６】
具体的に、第１コンピューティング装置が、属性情報として第１出所情報が含まれているファイルを第２コンピューティング装置または前記第２コンピューティング装置を介して接続した第３コンピューティング装置から送信されると、第１コンピューティング装置は、ファイルシステム２００をもって、前記第１コンピューティング装置に係る情報、第２コンピューティング装置に係る情報または第２コンピューティング装置を介して接続した第３コンピューティング装置に係る情報から第２出所情報を獲得するようにして、ファイルの属性情報として第１出所情報に第２出所情報を追加して保存するようにし得る。
【００２７】
万一、ファイルに対する出所情報が作成者情報の場合、第１コンピューティング装置は、ファイルシステム２００をもって、第１コンピューティング装置に係る情報から第２出所情報を獲得するようにして、ファイルの前記属性情報として第１出所情報に第２出所情報を追加して保存するようにし得るものであり、万一ファイルに対する出所情報がファイル獲得経路情報の場合、第１コンピューティング装置は、ファイルシステム２００をもって、第２コンピューティング装置に係る情報または前記第２コンピューティング装置を介して接続した第３コンピューティング装置に係る情報から第２出所情報を獲得するようにして、ファイルの属性情報として第１出所情報に第２出所情報を追加して保存するようにし得る。またファイルに対する出所情報がＩＰ情報またはフォルダ履歴情報の場合、第１コンピューティング装置は、ファイルシステム２００をもって、第１コンピューティング装置のＩＰ情報またはフォルダ履歴情報から第２出所情報を獲得するようにして、ファイルの前記属性情報として第１出所情報に第２出所情報を追加して保存するようにし得るものであり、万一ファイルに対する出所情報が物理的場所情報の場合、第１コンピューティング装置は、ファイルシステム２００をもって、第１コンピューティング装置が位置した場所を確認する場所確認方法を介して第２出所情報を獲得するようにして、ファイルの属性情報として第１出所情報に第２出所情報を追加して保存するようにし得る。係る物理的場所確認方法はＧＰＳ（Ｇｌｏｂａｌ  Ｐｏｓｉｔｉｏｎｉｎｇ  Ｓｙｓｔｅｍ）システムを活用する方法、セルラー通信基地局からの信号間の強弱を基盤とした三角測量法、またはネットワーク上で前記ＩＰ情報に対応されるものとして知られたアドレスを利用する方法などが含まれ得るが、これに限定されないことは当業者に自明である。
【００２８】
ここで、第１コンピューティング装置は図２ａまたは図２ｂのような構成を有するコンピューティング装置であり、第２コンピューティング装置は当該ファイルを第１コンピューティング装置に送信した他のユーザが使用した端末装置である。第３コンピューティング装置は、他のユーザが第２コンピューティング装置を用いて所定の電子メールサーバに接続して当該ファイルを添付して送信した場合、当該電子メールサーバ装置に該当され得る。
【００２９】
この時、第２コンピューティング装置に係る情報は第２コンピューティング装置のＩＤ、第２コンピューティング装置の所有者情報などが挙げられ、第３コンピューティング装置に係る情報は当該電子メールサーバに対する情報、当該電子メールサーバに加入されたユーザ情報などが挙げられる。
【００３０】
また、ここで、第１出所情報は第２出所情報よりも先行して獲得される出所情報であって、ファイルシステム２００は、既存に存在する第１出所情報と新たに獲得した第２出所情報を区別するための属性識別子を付与して順次に保存し得る。
【００３１】
この時、出所情報として作成者情報を獲得する場合、ファイルシステム２００はシステム情報からユーザコンピュータの名前を獲得することがあり、出所情報としてファイル獲得経路情報を獲得する場合、情報獲得モジュールを介してファイル獲得経路情報を獲得し得る。
【００３２】
例えば、Ｓｕｚｙというユーザが’産業部提案書．ｈｗｐ’というアレアハングルファイルを作成して保存する場合、アレアハングルプログラムはシステムコールを介してファイルシステム２００に’産業部提案書．ｈｗｐ’を保存する要求を伝達し、ファイルシステム２００は’産業部提案書．ｈｗｐ’の出所情報として作成者情報を獲得して属性情報に保存し、作成者情報はＳｕｚｙのコンピューティング装置名であり得る。その後にＳｕｚｙが’産業部提案書．ｈｗｐ’をＢｏｂに伝達し、これをＢｏｂが修正してＢｏｂのコンピューティング装置に保存する場合、’産業部提案書．ｈｗｐ’の属性情報には第１作成者情報（Ｓｕｚｙのコンピューティング装置名）が存在するので、ファイルシステム２００（Ｂｏｂのコンピューティング装置のファイルシステム）は第２作成者情報としてＢｏｂのコンピューティング装置名を獲得して属性情報として保存し得る。
【００３３】
この時、’産業部提案書．ｈｗｐ’の属性情報として保存された第１作成者情報及び第２作成者情報は属性タイプが作成者情報と同一なので、属性識別子を付与してそれぞれを区分するが、時系列的順序で識別子を付与し得る。これは、当該ファイルを作成した人々を順次に記録するためであり、これを通じてユーザは属性情報を介してファイルの製作過程を直観的に確認することができ、当該ファイルを容易に探索することができるようになる。
【００３４】
一方、図２ａ及び図２ｂに示したように、ファイルシステム２００は情報照会モジュール２５０を含んで構成されることがあり、ファイルを保存する要求が所定のメールプログラムから発生される場合、ファイルシステム２００は、情報照会モジュール２５０からパケットに含まれた電子メール差出人情報を獲得してファイル獲得経路情報として保存し得る。普通、ユーザは他のユーザにファイルを伝達するために電子メールを利用する場合が多いが、電子メールに含まれたファイルをダウンロードして保存する時、メール差出人の電子メールアドレスを属性情報として保存すれば、ファイルがどこからきたのかを知り得て、誰からメールを受けたかを記憶していれば、ユーザは電子メールアドレスをキーワードとして入力してファイルを検索することもある。
【００３５】
ここで、情報照会モジュール２５０はネットワークデバイスを介して獲得されるパケットを分析することができるプログラムであって、ｓｎｉｆｆｅｒ、ｗｉｒｅｓｈａｒｋ、ｔｃｐｄｕｍｐ、ｓｎｏｏｐのうち少なくとも一つのネットワーク分析プログラムの少なくとも一部を含んで構成され得る。
【００３６】
ファイルシステム２００は所定の条件が充たされる場合に作成者情報またはファイル獲得経路情報を獲得し得るが、ここで所定の条件は、作成者情報またはファイル獲得経路情報を獲得して保存する回数を制限する条件を意味する。例えば、特定のファイルを修正する度に作成者情報が記録され、作成者情報を獲得する回数が１０回に制限されている場合、ファイルシステム２００は１１番目に特定のファイルが修正されれば、既存に記録されている１０個の作成者情報のうち重複されていない作成者情報のみ選別して記録することで作成者情報の総個数を減らした後、１１番目に特定のファイルを修正したコンピューティング装置の名前を作成者情報として保存し得る。また、ファイルシステム２００は１番目に記録された作成者情報を削除して総１０個の作成者情報（２番目ないし１１番目の作成者情報）を維持し得るが、これに限定されない。
【００３７】
このように作成者情報またはファイル獲得経路情報を獲得する回数を限定することを通じて、ファイルが少しずつ修正される度に出所情報が属性情報として記録されて蓄積することを防止し得る。
【００３８】
また、ファイルシステム２００は、作成者情報に対応されるレベルに応じて所定の条件を調整することもあるが、万一、特定のファイルが修正されることによって出所情報が全部または頻繁に記録されなければならない場合、作成者情報に対応されるレベル、例えば、コンピューティング装置に対応されるレベルを設定して設定されたレベルに応じて所定の条件を調整し得る。
【００３９】
次に、ファイルに対するバージョン情報を属性情報として保存することを説明すれば、ファイルシステム２００は、ファイルに対する保存要求情報を獲得すると、属性情報として既設定された規則に従って決定されるバージョン情報をさらに獲得して保存し得る。既設定された規則はファイルが新たに生成されるか、ファイルが修正されるか、ファイルが保存される位置またはファイル名が変更されるかによって異なって定義され得る。
【００４０】
既設定された規則に従ってファイルシステム２００は、ファイルが新たに生成されてファイルに対する原本のファイルが存在しない場合、基本バージョンをファイルのバージョン情報に決定して属性情報として保存し得る。ここで、基本バージョンはｖｅｒ．１．０と設定され得るが、これに限定されない。
【００４１】
一方、ファイルに対する原本のファイルが存在する場合、既設定された規則に従ってファイルシステム２００は、ファイルのデータ情報が修正されたものと判断されると、原本のファイルのバージョン情報を増加させてバージョン情報に決定して属性情報として保存し得る。ファイルが保存される経路またはファイルのファイル名が修正されたものと判断されると、ファイルシステム２００は原本のファイルのバージョン情報をバージョン情報に決定して属性情報として保存することもある。
【００４２】
次に、ファイルに対する状況情報または日時情報を属性情報として保存することを説明すれば、ファイルシステム２００は、ファイルが保存される時期の天気を示す状況情報またはファイルが保存される時の日時情報を属性情報としてさらに獲得して保存し得る。ファイルが保存される時期の天気情報または日時情報を属性情報として保存すると、ユーザはファイルを獲得した時の天気状況または日付、季節などをキーワードとして入力してファイルを探索することができるようになる。ここで、天気情報はファイルシステム２００と連係される小型の情報検索及び保存システム（例えば、ＳＱＬＩＴＥなどの軽量ＤＢ、またはメモリ）などを通じて予め蓄積しておき、ファイルが保存される時、保存される時間に対応される天気を照会することで獲得し得る。
【００４３】
属性情報として第１状況情報または第１日時情報が含まれているファイルを他のコンピューティング装置または他のコンピューティング装置を介して接続した第３コンピューティング装置から送信されると、ファイルシステム２００はファイルの属性情報として第１状況情報または第１日時情報にファイルが保存された当時の第２状況情報または第２日時情報を追加して保存し得る。この時、第１状況情報または第１日時情報は第２状況情報または第２日時情報よりも先行して獲得される情報であって、ファイルシステム２００は既存に存在する情報と新たに獲得した情報を区別するために属性識別子を付与した後に順次に保存し得る。
【００４４】
一方、基本属性情報及びさらに追加され得る属性情報（出所情報、バージョン情報、状況情報、日時情報など）のうち少なくとも一つの情報はファイルのファイル名に含まれることもある。
【００４５】
図３は本発明の一実施例に係る追加的に獲得される属性情報を例示的に説明するための図面である。下記では図３を参照してＳｕｚｙ、Ｂｏｂ、Ｍｉｎａによって順にファイルが修正される時に記録される属性情報を例として説明し、Ｓｕｚｙ、Ｂｏｂ、Ｍｉｎａそれぞれのユーザのコンピューティング装置の名前はユーザの名前と同一なものとして説明する。
【００４６】
まず、Ｓｕｚｙが’産業部提案書．ｈｗｐ’というアレアハングルファイルを２０１６年１月２１日午後５時に作成して保存する場合、’産業部提案書．ｈｗｐ’ファイルに対する属性情報は下記の表２のように記録され得る。
【００４７】
【表２】
2019519034.tif 000004
【００４８】
ここで、’産業部提案書．ｈｗｐ’ファイルの属性情報のうち生成者情報、生成時間情報及びプログラム情報は基本的に含まれる属性情報であり、バージョン情報、作成者情報、ファイル獲得経路情報、日時情報は追加的に獲得されて保存される属性情報である。
【００４９】
具体的に、生成者情報及び作成者情報はＳｕｚｙのコンピューティング装置の名前であり得るが、生成者情報は最初にファイルを生成したユーザに対する情報であり、作成者情報はファイルを修正するユーザを累積して記録した情報として、Ｓｕｚｙによって’産業部提案書．ｈｗｐ’ファイルが最初に生成されたものなので、生成者情報と作成者情報は同一に記録される。
【００５０】
一方、生成時間情報はファイルを生成した時間情報であり、日時情報はファイルを修正した時間を累積して記録した情報として、Ｓｕｚｙによって’産業部提案書．ｈｗｐ’ファイルが最初に生成されたものなので、生成時間情報と日時情報は同一に記録される。
【００５１】
’産業部提案書．ｈｗｐ’ファイルは最初に生成されたファイルなので、バージョン情報はｖｅｒ．１．０と記録され、ファイル獲得経路情報は存在しない。
【００５２】
万一、Ｓｕｚｙが前記ファイルを生成した後、前記ファイルを電子メールに添付してＢｏｂに送信し、Ｂｏｂが前記ファイルをダウンロードしてＢｏｂのコンピューティング装置に保存する場合、’産業部提案書．ｈｗｐ’ファイルに対する属性情報は下記の表３のように記録され得る。
【００５３】
【表３】
2019519034.tif 000005
【００５４】
この時、Ｂｏｂがダウンロードした’産業部提案書．ｈｗｐ’ファイルの属性情報のうちファイル獲得経路情報を除く情報はＳｕｚｙが最初に生成したファイルの属性情報と同一となり得て、ファイル獲得経路情報はＳｕｚｙの電子メールアドレスとなり得る。差出人電子メールアドレスは前で説明したようにファイルシステムが情報獲得モジュールを介してパケットを分析することで獲得され得る。
【００５５】
この後、Ｂｏｂが’産業部提案書．ｈｗｐ’ファイルを２０１６年１月２２日午前１１時に修正して保存する場合、’産業部提案書．ｈｗｐ’ファイルに対する属性情報は下記の表４のように記録され得る。
【００５６】
【表４】
2019519034.tif 000006
【００５７】
ここで、’産業部提案書．ｈｗｐ’ファイルの属性情報のうちバージョン情報、作成者情報、日時情報が変更あるいは追加され得るが、Ｂｏｂが前記ファイルを修正したので、バージョン情報は既設定された規則に従って１．５に変更され得て、作成者情報にはＢｏｂが追加され、日時情報にはファイルが修正された日付及び時間が追加され得る。
【００５８】
万一、Ｂｏｂが前記ファイルを修正した後、前記ファイルを電子メールに添付してＭｉｎａに送信し、Ｍｉｎａが前記ファイルをＭｉｎａのコンピューティング装置に保存した後、２０１６年１月２８日午後１時に修正する場合、Ｍｉｎａのコンピューティング装置に保存された’産業部提案書．ｈｗｐ’ファイルの属性情報は下記の表５のように記録され得る。
【００５９】
【表５】
2019519034.tif 000007
【００６０】
この時にも、’産業部提案書．ｈｗｐ’ファイルの属性情報のうちバージョン情報、作成者情報、日時情報が変更あるいは追加されることがあり、Ｍｉｎａが前記ファイルを修正したので、バージョン情報は既設定された規則に従って２．０に変更され得て、作成者情報にはＭｉｎａが追加され、日時情報にはファイルが修正された日付及び時間が追加され得る。
【００６１】
以後、Ｍｉｎａはファイル探索プログラムで’産業部提案書．ｈｗｐ’を所望する時、前記ファイルの属性情報として記録された情報をキーワードにして容易にファイルを見つけることができるようになる。例えば、Ｍｉｎａが前記ファイルをＢｏｂから電子メールを介して受け取ったことを記憶していれば、Ｂｏｂの電子メールアドレス（ｒｉｃｅ＠ｄａｕｍ．ｃｏｍ）をキーワードとして入力してファイルを探索し得る。
【００６２】
一方、ここで説明しなかったが、ファイルが保存される時期の天気を示す状況情報が属性情報としてさらに含まれ得ることは当然である。
【００６３】
以上、本発明が具体的な構成要素のような特定の事項と限定された実施例及び図面によって説明されたが、これは本発明のより全般的な理解を助けるために提供されたものであるに過ぎず、本発明が前記実施例に限定されるものではなく、本発明が属する技術分野で通常の知識を有する者であれば、かかる記載から多様な修正及び変形が行なわれ得る。従って、本発明の思想は前記説明された実施例に極限されて決定されてはならず、後述する特許請求の範囲だけではなく、この特許請求の範囲と均等または等価的に変形された全てのものは本発明の思想の範疇に属するものである。
【符号の説明】
【００６４】
１００…ユーザプロセス、２００…ファイルシステム、３００…保存装置。
【図１】
2019519034.tif 000008
【図２ａ】
2019519034.tif 000009
【図２ｂ】
2019519034.tif 000010
【図３】
2019519034.tif 000011
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ファイルの属性情報を管理する方法において、
（ａ）第１コンピューティング装置が、属性情報として第１出所情報が含まれているファイルを第２コンピューティング装置または前記第２コンピューティング装置を介して接続した第３コンピューティング装置から送信される段階；及び
（ｂ）前記第１コンピューティング装置が、ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させる段階；
を含み、
前記第１出所情報と前記第２出所情報とは、作成者情報とファイル獲得経路情報のうちの少なくとも一部を含み、
前記第１コンピューティング装置は、前記ファイルシステムをもって、１以上の条件が満たされる場合に前記作成者情報または前記ファイル獲得経路情報を獲得させる、
方法。
【請求項２】
前記（ｂ）段階は、
前記ファイルシステムが、既存に存在する前記第１出所情報と新たに獲得した前記第２出所情報を区別するための属性識別子を付与して順次に保存することを特徴とする請求項１に記載の方法。
【請求項３】
前記第１および第２出所情報が作成者情報の場合、
前記（ｂ）段階は、
前記第１コンピューティング装置が、前記ファイルシステムをもって、前記第１コンピューティング装置に係る情報から前記第２出所情報を獲得するようにして、前記ファイルの前記属性情報として前記第１出所情報に前記第２出所情報を追加して保存させることを特徴とする請求項１に記載の方法。
【請求項４】
前記第１および第２出所情報がファイル獲得経路情報の場合、
前記（ｂ）段階は、
前記第１コンピューティング装置が、前記ファイルシステムをもって、前記第２コンピューティング装置に係る情報または前記第２コンピューティング装置を介して接続した前記第３コンピューティング装置に係る情報から前記第２出所情報を獲得するようにして、前記ファイルの前記属性情報として前記第１出所情報に前記第２出所情報を追加して保存させることを特徴とする請求項１に記載の方法。
【請求項５】
所定の前記条件は、
前記作成者情報または前記ファイル獲得経路情報を獲得する回数を制限する条件であることを特徴とする請求項１に記載の方法。
【請求項６】
所定の前記条件は、前記作成者情報または前記ファイル獲得経路情報に対応されるレベルに応じて調整されることを特徴とする請求項５に記載の方法。
【請求項７】
ファイルの属性情報を管理する方法において、
（ａ）第１コンピューティング装置が、属性情報として第１出所情報が含まれているファイルを第２コンピューティング装置または前記第２コンピューティング装置を介して接続した第３コンピューティング装置から送信される段階；及び
（ｂ）前記第１コンピューティング装置が、ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させる段階；
を含み、
前記第１出所情報と前記第２出所情報とは、作成者情報とファイル獲得経路情報のうちの少なくとも一部を含み、
前記ファイルを保存する要求が所定のメールプログラムから発生される場合、前記ファイルシステムは、情報照会モジュールからパケットに含まれた電子メール差出人情報を獲得して前記ファイル獲得経路情報として保存する、
方法。
【請求項８】
前記情報照会モジュールはｓｎｉｆｆｅｒ、ワイヤシャーク、ｔｃｐｄｕｍｐ、ｓｎｏｏｐのうち少なくとも一つのネットワーク分析プログラムを含むことを特徴とする請求項７に記載の方法。
【請求項９】
前記第１コンピューティング装置は、前記ファイルシステムをもって、前記属性情報として既設定された規則に従って決定されるバージョン情報をさらに獲得して保存させることを特徴とする請求項１に記載の方法。
【請求項１０】
前記既設定された規則は、
前記ファイルに対する原本のファイルが存在しない場合、基本バージョンを前記ファイルの前記バージョン情報に決定し、
前記ファイルに対する原本のファイルが存在する場合、（ｉ）前記ファイルのデータ情報が修正されたものと判断されると、前記原本のファイルのバージョン情報を増加させて前記バージョン情報に決定し、（ｉｉ）前記ファイルが保存される経路または前記ファイルのファイル名が修正されたものと判断されると、前記原本のファイルのバージョン情報を前記バージョン情報に決定する規則であることを特徴とする請求項９に記載の方法。
【請求項１１】
前記第１コンピューティング装置は、前記ファイルシステムをもって、前記ファイルが保存される時期の天気を示す状況情報または前記ファイルが保存される時の日時情報を前記属性情報としてさらに獲得して保存させることを特徴とする請求項１に記載の方法。
【請求項１２】
前記第１コンピューティング装置が、属性情報として第１状況情報または第１日時情報が含まれているファイルを前記第２コンピューティング装置または前記第２コンピューティング装置を介して接続した前記第３コンピューティング装置から送信されると、前記ファイルシステムをもって、前記ファイルの前記属性情報として前記第１状況情報または前記第１日時情報に前記ファイルが保存される当時の第２状況情報または第２日時情報を追加して保存させることを特徴とする請求項１１に記載の方法。
【請求項１３】
前記第１コンピューティング装置は、前記ファイルの属性情報のうち少なくとも一つの情報を前記ファイルのファイル名に含ませることを特徴とする請求項１に記載の方法。
【請求項１４】
前記ファイルシステムがＮＴＦＳ（Ｎｅｗ  Ｔｅｃｈｎｏｌｏｇｙ  Ｆｉｌｅ  Ｓｙｓｔｅｍ）の場合、前記ファイルシステムが前記ファイルシステムの基本属性であるＡＴＴＲＩＢＵＴＥ  ＬＩＳＴに前記第１及び第２出所情報の開始アドレス及び属性名前を記録することを特徴とする請求項１に記載の方法。
【請求項１５】
前記ファイルに対する前記第１および第２出所情報は、ＩＰ情報、物理的場所情報及びフォルダ履歴情報のうち少なくとも一部を含むことを特徴とする請求項１に記載の方法。
【請求項１６】
ファイルの属性情報を管理する第１コンピューティング装置において、
属性情報として第１出所情報が含まれているファイルを第２コンピューティング装置または前記第２コンピューティング装置を介して接続した第３コンピューティング装置から送信される通信部；及び
ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させるプロセッサ；
を含み、
前記第１出所情報と前記第２出所情報とは、作成者情報とファイル獲得経路情報のうちの少なくとも一部を含み、
前記プロセッサは、前記ファイルシステムをもって、１以上の条件が満たされる場合に前記作成者情報または前記ファイル獲得経路情報を獲得させる、
第１コンピューティング装置。
【請求項１７】
前記ファイルシステムが、既存に存在する前記第１出所情報と新たに獲得した前記第２出所情報を区別するための属性識別子を付与して順次に保存することを特徴とする請求項１６に記載の第１コンピューティング装置。
【請求項１８】
前記第１および第２出所情報が作成者情報の場合、
前記第１コンピューティング装置が、前記ファイルシステムをもって、前記第１コンピューティング装置に係る情報から前記第２出所情報を獲得するようにして、前記ファイルの前記属性情報として前記第１出所情報に前記第２出所情報を追加して保存させることを特徴とする請求項１６に記載の第１コンピューティング装置。
【請求項１９】
前記第１および第２出所情報がファイル獲得経路情報の場合、
前記第１コンピューティング装置が、前記ファイルシステムをもって、前記第２コンピューティング装置に係る情報または前記第２コンピューティング装置を介して接続した前記第３コンピューティング装置に係る情報から前記第２出所情報を獲得するようにして、前記ファイルの前記属性情報として前記第１出所情報に前記第２出所情報を追加して保存させることを特徴とする請求項１６に記載の第１コンピューティング装置。
【請求項２０】
所定の前記条件は、
前記作成者情報または前記ファイル獲得経路情報を獲得する回数を制限する条件であることを特徴とする請求項１６に記載の第１コンピューティング装置。
【請求項２１】
所定の前記条件は、前記作成者情報または前記ファイル獲得経路情報に対応されるレベルに応じて調整されることを特徴とする請求項２０に記載の第１コンピューティング装置。
【請求項２２】
ファイルの属性情報を管理する第１コンピューティング装置において、
属性情報として第１出所情報が含まれているファイルを第２コンピューティング装置または前記第２コンピューティング装置を介して接続した第３コンピューティング装置から送信される通信部；及び
ファイルシステムをもって、前記第１コンピューティング装置に係る情報、前記第２コンピューティング装置に係る情報または前記第２コンピューティング装置を介して接続した前記第３コンピューティング装置に係る情報から第２出所情報を獲得するようにして、前記ファイルの前記属性情報として前記第１出所情報に前記第２出所情報を追加して保存させるプロセッサ；
を含み、
前記第１出所情報と前記第２出所情報とは、作成者情報とファイル獲得経路情報のうちの少なくとも一部を含み、
前記ファイルを保存する要求が所定のメールプログラムから発生される場合、前記ファイルシステムは、情報照会モジュールからパケットに含まれた電子メール差出人情報を獲得して前記ファイル獲得経路情報として保存する、
第１コンピューティング装置。
【請求項２３】
前記情報照会モジュールはｓｎｉｆｆｅｒ、ｗｉｒｅｓｈａｒｋ、ｔｃｐｄｕｍｐ、ｓｎｏｏｐのうち少なくとも一つのネットワーク分析プログラムを含むことを特徴とする請求項２２に記載の第１コンピューティング装置。
【請求項２４】
前記プロセッサは、前記ファイルシステムをもって、前記属性情報として既設定された規則に従って決定されるバージョン情報をさらに獲得して保存させることを特徴とする請求項１６に記載の第１コンピューティング装置。
【請求項２５】
前記既設定された規則は、
前記ファイルに対する原本のファイルが存在しない場合、基本バージョンを前記ファイルの前記バージョン情報に決定し、
前記ファイルに対する原本のファイルが存在する場合、（ｉ）前記ファイルのデータ情報が修正されたものと判断されると、前記原本のファイルのバージョン情報を増加させて前記バージョン情報に決定し、（ｉｉ）前記ファイルが保存される経路または前記ファイルのファイル名が修正されたものと判断されると、前記原本のファイルのバージョン情報を前記バージョン情報に決定する規則であることを特徴とする請求項２４に記載の第１コンピューティング装置。
【請求項２６】
前記プロセッサは、前記ファイルシステムをもって、前記ファイルが保存される時期の天気を示す状況情報または前記ファイルが保存される時の日時情報を前記属性情報としてさらに獲得して保存させることを特徴とする請求項１６に記載の第１コンピューティング装置。
【請求項２７】
属性情報として第１状況情報または第１日時情報が含まれているファイルを前記第２コンピューティング装置または前記第２コンピューティング装置を介して接続した前記第３コンピューティング装置から送信されると、前記プロセッサが、前記ファイルシステムをもって、前記ファイルの前記属性情報として前記第１状況情報または前記第１日時情報に前記ファイルが保存される当時の第２状況情報または第２日時情報を追加して保存させることを特徴とする請求項２６に記載の第１コンピューティング装置。
【請求項２８】
前記プロセッサは、前記ファイルの属性情報のうち少なくとも一つの情報を前記ファイルのファイル名に含ませることを特徴とする請求項１６に記載の第１コンピューティング装置。
【請求項２９】
前記ファイルシステムがＮＴＦＳ（Ｎｅｗ  Ｔｅｃｈｎｏｌｏｇｙ  Ｆｉｌｅ  Ｓｙｓｔｅｍ）の場合、前記ファイルシステムが前記ファイルシステムの基本属性であるＡＴＴＲＩＢＵＴＥ  ＬＩＳＴに前記第１及び第２出所情報の開始アドレス及び属性名前を記録することを特徴とする請求項１６に記載の第１コンピューティング装置。
【請求項３０】
前記ファイルに対する前記第１および第２出所情報は、ＩＰ情報、物理的場所情報及びフォルダ履歴情報のうち少なくとも一部を含むことを特徴とする請求項１６に記載の第１コンピューティング装置。
【国際調査報告】
2019519034.tif 000012
2019519034.tif 000013